(57)【要約】      （修正有）【課題】容器の口部とキャップとの間からの内容物の漏れを防止でき、かつ、キャップと容器の口部との係合不良を生じさせない容器用キャップおよび該容器用キャップを備えたキャップ付き容器を提供する。【解決手段】容器用キャップ２は、上面部３と、上面部３の周縁から垂下する筒状の側面部４とを備え、側面部４が容器１０の口部１１と係合することで口部１１に装着される。上面部３は、容器１０の口部１１と対向する位置に設けられる環状のコンタクトリング８と、コンタクトリング８の内側位置に設けられる筒状のガイド壁７と、コンタクトリング８と側面部４との間に設けられる環状のアウターリング９とを備える。該キャップ２が容器１０の口部１１に係合した際、コンタクトリング８は口部１１の上面に当接し、アウターリング９は口部１１の外周面に当接し、ガイド壁７は口部１１の内周面と間隔をあけて対向する。【選択図】図９
2014177288.tif 000002
【特許請求の範囲】
【請求項１】
上面部と、前記上面部の周縁から垂下する筒状の側面部と、を備え、前記側面部が容器の口部と係合することで容器の口部に装着される容器用キャップであって、
前記上面部は、
容器の口部と対向する位置に前記上面部の下面から突き出るように設けられ、該キャップが容器の口部に係合した際に容器の口部の上面に当接する環状のコンタクトリングと、
前記コンタクトリングの内側位置に前記上面部の下面から突き出るように設けられ、該キャップが容器の口部に係合した際に容器の口部の内周面と間隔をあけて対向する筒状のガイド壁と、を備える容器用キャップ。
【請求項２】
前記側面部の内周面には、容器の口部の外周面に形成された雄ネジと螺合する雌ネジが形成されている請求項１に記載の容器用キャップ。
【請求項３】
前記ガイド壁の外周面と容器の口部の内周面との前記間隔が０．１ｍｍ以上である請求項１または２に記載の容器用キャップ。
【請求項４】
前記ガイド壁の外周面と容器の口部の内周面との前記間隔が前記雌ネジのネジ山の高さの半分以下である請求項２または３に記載の容器用キャップ。
【請求項５】
前記キャップの前記雌ネジが容器の口部の雄ネジと係合するまでに前記ガイド壁の先端部が容器の口部の上面よりも下方に位置するように、前記ガイド壁の高さが設定されている請求項２〜４のいずれかに記載の容器用キャップ。
【請求項６】
前記上面部は、前記コンタクトリングと前記側面部との間に前記上面部の下面から突き出るように設けられ、該キャップが容器の口部に係合した際に容器の口部の外周面に当接する環状のアウターリングをさらに備える請求項１〜５のいずれかに記載の容器用キャップ。
【請求項７】
前記上面部は、前記アウターリングと前記側面部との間の領域の下面が隆起している請求項６に記載の容器用キャップ。
【請求項８】
４０ｍｍ以上の口径を有する容器の口部に装着される請求項１〜７のいずれかに記載の容器用キャップ。
【請求項９】
口部を有する容器と、前記容器の口部に装着される請求項１〜８のいずれかに記載のキャップとからなるキャップ付き容器。
【発明の詳細な説明】
【技術分野】
【０００１】
本発明は、容器の口部に着脱自在に装着される容器用キャップおよび該容器用キャップを備えたキャップ付き容器に関する。
【背景技術】
【０００２】
芳香剤、飲料、化粧品等の種々の液状やゲル状等の内容物を収容する容器は、従来から口部の外周面に雄ネジが形成され、内周面に雌ネジが形成されたキャップを、ネジの螺合により容器の口部に係合させることで、口部の上端開口がキャップにより閉塞され、内容物の密閉が行われている。この種のキャップとしては、例えば特許文献１に記載のものが提案されている。
【０００３】
図１２に示すように、特許文献１に記載のキャップ１００は、上面部１０１と、上面部１０１の外周縁から垂下する環状の側面部１０２と、上面部１０１の側面部１０２よりも内側の位置で垂下する筒状のインナーリング１０３とを備えている。側面部１０２の内周面には、容器１１０の口部１１１の外周面に形成された雄ネジ１１２と螺合する雌ネジ１０４が形成されている。インナーリング１０３は、キャップ１００を容器１１０の口部１１１に被せ、雌ネジ１０４および雄ネジ１１２の螺合によりねじ込みながら係合させる際に、その外周面が口部１１１の内周面に接触することで口部１１１との間にシールを形成して止栓している。これにより、容器１１０内の内容物が口部１１１とキャップ１００との間から漏れ出すことが防止されている。
【先行技術文献】
【特許文献】
【０００４】
【特許文献１】特開２０１１−５７２６９号公報
【発明の概要】
【発明が解決しようとする課題】
【０００５】
しかしながら、特許文献１に記載のキャップ１００では、インナーリング１０３を容器１１０の口部１１１に接触させながら、キャップ１００を口部１１１に係合させているので、キャップ１００を口部１１１にねじ込む際に大きな接触抵抗が生じる。よって、キャップ１００を口部１１１に装着するのに大きなトルク（力）を必要とし、そのためにキャップ１００を口部１１１に装着する際に強い力で締め付け過ぎると、キャップ１００と口部１１１との係合不良を起こしたり、また、キャップ１００を口部１１１から取り外す際にも大きなトルク（力）が必要となって開栓し難くなる等の問題が生じる。これは、特に口部１１１の径（口径）が例えば４０ｍｍ以上といった広口の口部１１１を備える容器１１０の場合に顕著となる。
【０００６】
なお、上述したネジの係合によりキャップを口部に係合するタイプの容器だけではなく、キャップを口部に打栓してキャップ下端の係合凸部を口部の外周面に引っ掛けて係合するタイプの容器についても、インナーリングが口部に接触すると、キャップを口部に押し込む際に大きな接触抵抗が生じる。よって、同様に、キャップを口部に装着するのに大きな力を必要とし、そのためにキャップを口部に装着する際に係合不良を起こしたり、また、キャップを口部から取り外す際にも大きな力が必要となって開栓し難くなる等の問題がある。
【０００７】
本発明は、上記した問題に着目してなされたもので、容器の口部とキャップとの間からの内容物の漏れを防止でき、かつ、キャップと容器の口部との係合不良を生じさせない容器用キャップおよび該容器用キャップを備えたキャップ付き容器を提供することを目的とする。
【課題を解決するための手段】
【０００８】
本発明の上記目的は、上面部と、前記上面部の周縁から垂下する筒状の側面部と、を備え、前記側面部が容器の口部と係合することで容器の口部に装着される容器用キャップであって、前記上面部は、容器の口部と対向する位置に前記上面部の下面から突き出るように設けられ、該キャップが容器の口部に係合した際に容器の口部の上面に当接する環状のコンタクトリングと、前記コンタクトリングの内側位置に前記上面部の下面から突き出るように設けられ、該キャップが容器の口部に係合した際に容器の口部の内周面と間隔をあけて対向する筒状のガイド壁と、を備える容器用キャップによって達成される。
【０００９】
本発明の好ましい実施態様においては、前記側面部の内周面には、容器の口部の外周面に形成された雄ネジと螺合する雌ネジが形成されていることを特徴としている。
【００１０】
本発明のさらに好ましい実施態様においては、前記ガイド壁の外周面と容器の口部の内周面との前記間隔が０．１ｍｍ以上であることを特徴としている。
【００１１】
本発明のさらに好ましい実施態様においては、前記ガイド壁の外周面と容器の口部の内周面との前記間隔が前記雌ネジのネジ山の高さの半分以下であることを特徴としている。
【００１２】
本発明のさらに好ましい実施態様においては、前記キャップの前記雌ネジが容器の口部の雄ネジと係合するまでに前記ガイド壁の先端部が容器の口部の上面よりも下方に位置するように、前記ガイド壁の高さが設定されていることを特徴としている。
【００１３】
本発明のさらに好ましい実施態様においては、前記上面部は、前記コンタクトリングと前記側面部との間に前記上面部の下面から突き出るように設けられ、該キャップが容器の口部に係合した際に容器の口部の外周面に当接する環状のアウターリングをさらに備えることを特徴としている。
【００１４】
本発明のさらに好ましい実施態様においては、前記上面部は、前記アウターリングと前記側面部との間の領域の下面が隆起していることを特徴としている。
【００１５】
本発明のさらに好ましい実施態様においては、４０ｍｍ以上の口径を有する容器の口部に装着されることを特徴としている。
【００１６】
本発明の上記目的は、口部を有する容器本体と、前記容器本体の口部に装着される上記構成のキャップとからなるキャップ付き容器によっても達成される。
【発明の効果】
【００１７】
本発明の容器用キャップおよび該容器用キャップを備えたキャップ付き容器によれば、コンタクトリングおよびアウターリングにより、キャップの上面部と容器の口部との間が２箇所で止栓されているので、容器内が精度良く密閉される。よって、容器内の内容物が口部とキャップとの間から外部に漏れ出すことを良好に防止できる。
【００１８】
また、キャップを容器の口部に係合させる際に、ガイド壁が口部と接触しないので、ガイド壁と口部との間には接触抵抗が生じない。よって、キャップを容器の口部に係合させる際に強い力を必要とせず、キャップを口部に対して強く締め付け過ぎることに伴うキャップおよび口部の係合不良を起こすことを防止できる。また、キャップを口部から取り外す際にも強い力を必要とせず容易に開栓できる。
【００１９】
また、キャップを容器の口部に係合させるために口部上に被せる際に、キャップが傾斜した斜めキャップの状態で口部に被せられても、ガイド壁の先端部が口部と接触することで、キャップの傾斜状態が矯正される。これによりキャップは水平状態またはほぼ水平状態に戻され、容器の口部と正常に係合するので、キャップが傾斜した状態で口部に係合されることに伴うキャップおよび口部の係合不良を起こすことを防止できる。
【図面の簡単な説明】
【００２０】
【図１】本発明の一実施形態に係るキャップ付き容器の斜視図である。
【図２】図１のキャップ付き容器の側面図である。
【図３】本発明の一実施形態に係る容器用キャップの正面図である。
【図４】図１の容器用キャップの平面図である。
【図５】図１の容器用キャップの底面図である。
【図６】図５の一部拡大図である。
【図７】図１の容器用キャップの断面図である。
【図８】図７の一部拡大図である。
【図９】容器の口部および容器用キャップを拡大して示す断面図である。
【図１０】容器用キャップが容器の口部に対して傾斜した状態で被せられた状況を示す断面図である。
【図１１】容器用キャップが容器の口部に対して水平状態に戻った状況を示す断面図である。
【図１２】従来例の容器の口部および容器用キャップを拡大して示す断面図である。
【発明を実施するための形態】
【００２１】
以下、本発明の実施形態について、添付図面を参照して説明する。図１および図２は、本発明の一実施形態に係る容器用キャップ２（以下、単に「キャップ２」という。）を備えたキャップ付き容器１の外観構成を示している。
【００２２】
キャップ付き容器１は、上端が開口する口部１１と、口部１１に連続して設けられ、芳香剤、飲料、化粧品等の液状やゲル状等の内容物を収容可能な中空かつ有底の胴部１２とを備えた容器１０を有しており、口部１１にキャップ２が着脱自在に装着される。容器１０としては、例えば、ポリエチレンテレフタラート、ポリエチレン、ポリプロピレン等の合成樹脂で形成され、インジェクションブロー成形等の公知のブロー成形で製造することができる。容器１０は、全体が透明または半透明であり、外部から内部に収容された内容物の残量が確認できる。なお、この容器１０の素材としては、合成樹脂に限られるものではなく、その他にガラスなどを好ましく例示することができる。容器１０の口部１１の径（口径）ｒ（図９に示す）は、特に限定されるものではなく、本発明のキャップ２は、口径ｒの小さな口部１１の狭い容器１０に対するキャップにも適用できるが、口径ｒが４０ｍｍ以上の広口の口部１１を有する容器１０に対するキャップに好適に適用できる。
【００２３】
キャップ２は、図３〜図９に示すように、全体が軟質の合成樹脂製であり、平面視円形状に形成された上面部３と、上面部３の外周縁から垂下する筒状の側面部４とを備えており、上端が閉じられ下端が開口した形状のものである。
【００２４】
側面部４の内周面には、容器１０の口部１１の外周面に設けられた雄ネジ１３（図９に示す）と螺合する雌ネジ５が設けられている。この雌ネジ５および雄ネジ１３の螺合により、キャップ２を容器１０の口部１１に対して一方向に回転させながらねじ込むことでキャップ２が口部１１に係合し、口部１１の上端開口が閉塞されて容器１０内の内容物が密閉される。雌ネジ５は、らせん状に周回するネジ山５０を有し、所定の高さｈ（図７に示す）を有している。また、雌ネジ５には、ネジ山５０の上側（キャップ２の上端閉塞側）および下側（キャップ２の下端開口側）のネジ山の始まる部分（始点位置）に、側面部４の内周面からなだらかに高さが高くなる不完全なネジ山５１（以下、「不完全ネジ山５１」という。）が所定の長さだけ連続して設けられている。この不完全ネジ山５１は、金型を加工する際にできてしまうものであり、刃物で金型のネジ部を加工する際に最初の加工開始または加工終了時にできる形状である。なお、以下において、ネジ山５０の始点位置とは、上側および下側ともに、原則として高さがｈとなるネジ山５０が始まる位置を指し、不完全ネジ山５１が始まる位置を指すものではない。また、雄ネジ１３も、らせん状に周回するネジ山１３Ａを有しており、雌ネジ５と同様に、雄ネジ１３のネジ山１３Ａの上方側（口部１１の上端開口側）および下方側（容器１０の胴部１２側）の始点位置に、口部１１の外周面からなだらかに高さが高くなる不完全なネジ山（図示せず）が所定の長さだけ連続して設けられている。
【００２５】
側面部４の内周面の雌ネジ５の下方位置には、段差部６が形成されており、側面部４の下端部４０は、内周面が若干拡径している。容器１０の口部１１の外周面には、外周面から突き出る突部１４が一周に亘って設けられており、キャップ２を回転させながら容器１０の口部１１にねじ込む際に、この段差部６に容器１０の口部１１の突部１４が突き当たることで、キャップ２をこれ以上、容器１０の口部１１にねじ込むことが規制されている。
【００２６】
側面部４の外周面には、上下方向に延びる複数の凸条４２が形成されている。これにより、キャップ２をつかみ易く、容器１０の口部１１に対してキャップ２を回転させ易くなっている。また、上面部３の上面には、キャップ２および容器１０の口部１１が係合する回転方向に向けて矢印３０，３０が設けられている。
【００２７】
上面部３の下面には、上面部３の中央位置を中心にして、筒状のガイド壁７が、上面部３の下面から突き出るようにして設けられている。また、ガイド壁７の周囲には、ガイド壁７よりも高さが低い環状のコンタクトリング８が、上面部３の下面から突き出るようにして同心円状に設けられている。さらに、コンタクトリング８の周囲には、ガイド壁７よりも高さが低くコンタクトリング８よりも高さが高い環状のアウターリング９が、上面部３の下面から突き出るようにして同心円状に設けられている。
【００２８】
コンタクトリング８は、キャップ２を容器１０の口部１１に被せて係合させる際、口部１１の上面と対向する位置に設けられている。キャップ２を回転させながら容器１０の口部１１にねじ込んでいくことで、コンタクトリング８の先端部が口部１１の上面と当接する（図９に示す）。これにより、キャップ２が容器１０の口部１１に係合して装着された際には、キャップ２の上面部３と容器１０の口部１１との間に第１のシールが形成される。よって、容器１０内を液密に密閉することができ、容器１０内の内容物が口部１１とキャップ２との間から漏れ出すことを防止できる。コンタクトリング８の形状は、本実施形態では、断面視において頂部が丸い山形状に形成されているが、頂部が尖った山形状であっても構わない。また、断面視において矩形状など、上面部３の下面から突き出ていれば種々の形状に形成されていても構わない。また、コンタクトリング８の高さ（上面部３の下面からコンタクトリング８の先端部までの長さ）は、０．１ｍｍ以上１．０以下が好ましく、例えば０．２ｍｍ程度に設定される。
【００２９】
アウターリング９は、コンタクトリング８と側面部４との間に設けられており、キャップ２を回転させながら容器１０の口部１１にねじ込んでいくことで、アウターリング９の内周面が口部１１の外周面に当接する（図９に示す）。これにより、キャップ２が容器１０の口部１１に係合して装着された際には、キャップ２の上面部３と容器１０の口部１１との間に、第１のシールに加えて第２のシールが形成される。このように、本実施形態では、コンタクトリング８およびアウターリング９の２つの止栓により、精度良く容器１０内が密閉されており、容器１０内の内容物が口部１１とキャップ２との間から漏れ出すことがより確実に防止されている。なお、アウターリング９の内周面は、先端に向かうに連れて先細りとなるテーパ状に形成されている。アウターリング９の高さ（上面部３の下面からアウターリング９の先端部までの長さ）は、０．５ｍｍ以上５．０ｍｍ以下が好ましく、例えば１．５ｍｍ程度に設定される。
【００３０】
アウターリング９と側面部４との間の領域には、上面部３の下面がアウターリング９の内側の領域よりも隆起している隆起部３１が設けられている。キャップ２を漏れが生じないよう緩みなくねじ込んで容器１０の口部１１に装着しようとすると、キャップ２を容器１０の口部１１に対して強い力で締め付け過ぎるおそれがある。キャップ２を容器１０の口部１１に対して強く締め付け過ぎると、キャップ２の側面部４が、容器１０の口部１１との係合部である雌ネジ５を境に下端部４０が外側に押し広げられ、かつ、上端部４１が内側に押し込まれるように変形する。キャップ２の側面部４の上端部４１が内側に押し込まれると、これに伴ってアウターリング９が内側、つまり、容器１０の口部１１の方に押されるので、アウターリング９が口部１１の外周面に引っ掛からずに口部１１の上面に乗り上がってしまい、よって、上記したコンタクトリング８およびアウターリング９による止栓が行われずに、内容物の密閉不完全という不具合が発生するおそれがある。これは、口部１１の口径ｒが大きい容器１０ほど、強いトルク（力）でキャップ２を容器１０の口部１１に締め付けようとするので、顕著に生じる。
【００３１】
これに対して、本実施形態のように、アウターリング９と側面部４との間の領域に隆起部３１を設けることで、側面部４の上端部４１の強度が増し、隆起部３１が変形を抑えるストッパーとして機能してアウターリング９が内側に押し込まれるのを防止する。これにより、アウターリング９の内周面が容器１０の口部１１の外周面と良好に当接し続け、コンタクトリング８およびアウターリング９の止栓が保持されることで、容器１０内の密閉状態を良好に保持することができる。隆起部３１の高さ（上面部３の下面から隆起部３１の先端部までの長さ）は、０．３ｍｍ以上４．０ｍｍ以下が好ましく、例えば０．５ｍｍ程度に設定される。
【００３２】
ガイド壁７は、本実施形態では、容器１０の口部１１の口径ｒよりも小さな外径Ｒを有する円筒状に形成されており、キャップ２が口部１１に係合して装着された際には、口部１１の内周面と間隔ｄをあけて対向する。このように、本実施形態のガイド壁７は、キャップ２が容器１０の口部１１に係合した際に口部１１の内周面とは接触しない大きさ（外径Ｒ）に形成されているので、キャップ２を口部１１にねじ込みながら係合させる際に、ガイド壁７と口部１１との間に接触抵抗が生じない。
【００３３】
このガイド壁７は、キャップ２を容器１０の口部１１に係合させるために口部１１上に被せる際に、キャップ２を口部１１に対して適正な位置に位置させる位置決めとして機能する他、キャップ２を水平状態またはほぼ水平状態で口部１１に対して係合させるガイドとして機能する。つまり、図１０に示すように、キャップ２が傾斜した斜めキャップの状態で容器１０の口部１１に被せられると、キャップ２が傾斜した状態のまま雌ネジ５と雄ネジ１３とが螺合してしまうという不具合が生じ、最終的にキャップ２と口部１１とが係合不良を起こすおそれがある。これに対して、筒状のガイド壁７がキャップ２の上面部３の下面に設けられていることで、キャップ２が傾斜した斜めキャップの状態で容器１０の口部１１に被せられて口部１１と係合しようとしても、キャップ２の雌ネジ５と口部１１の雄ネジ１３とが螺合を開始する前に、ガイド壁７の下方に傾斜している側の先端部７０の外周面が口部１１の上端部の内周面と接触し、これにより、キャップ２の傾斜状態が矯正される。よって、図１１に示すように、キャップ２は水平状態またはほぼ水平状態となり、雌ネジ５と雄ネジ１３とが正常に螺合する。このように、本実施形態では、ガイド壁７により、キャップ２が傾斜した斜めキャップの状態で口部１１に対して係合するのが防止されるので、キャップ２と口部１１とが係合不良を起こすことが防止されている。
【００３４】
加えて、容器１０内の内容物が液状または揮散性を有するものである場合、キャップ２の上面部３の下面に内容物の液滴が付着する場合がある。この液滴が上面部３の下面を伝って容器１０の口部１１の上面位置まで広がると、コンタクトリング８およびアウターリング９で止栓されてはいるものの、口部１１とキャップ２との間から漏れ出すおそれがある。本実施形態では、筒状のガイド壁７がキャップ２の上面部３の下面に設けられていることで、上面部３の下面を伝って広がる液滴は、ガイド壁７でこれ以上外側に広がることが防止され、コンタクトリング８およびアウターリング９に到達することなくガイド壁７の内周面を伝って下方に流れ落ちる。よって、容器１０内の内容物が口部１１とキャップ２との間から漏れ出すことがより確実に防止されている。
【００３５】
ガイド壁７の大きさ（外径Ｒ）は、ガイド壁７の外周面と容器１０の口部１１の内周面との間隔ｄが少なくとも０．１ｍｍ以上となるように、設定されていることが好ましい。上記間隔ｄが０．１ｍｍ以上あれば、キャップ２を容器１０の口部１１に係合させる際にガイド壁７が口部１１の内周面と接触することを良好に防止できる。一方で、間隔ｄが広すぎると、キャップ２を容器１０の口部１１に被せて係合させる際に、上述したキャップ２を水平状態またはほぼ水平状態で口部１１に対して係合させるガイド壁７のガイド機能が良好に機能せず、キャップ２が傾斜した斜めキャップの状態で口部１１と係合する係合不良を起こすおそれがある。これに対して、間隔ｄが少なくとも雌ネジ５のネジ山５０の高さｈよりも大幅に小さければ、具体的には、ネジ山５０の高さｈの半分以下であれば、キャップ２の雌ネジ５が容器１０の雄ネジ１３を乗り越えられないため、キャップ２が傾斜した斜めキャップの状態で容器１０の口部１１と係合することを効果的に防止できる。もし間隔ｄがネジ山５０の高さｈの半分以上になると、小さな力を加えるだけでキャップ２の雌ネジ５が容器１０の雄ネジ１３を乗り越えてしまうおそれがある。よって、ガイド壁７の大きさ（外径Ｒ）は、上記間隔ｄがネジ山５０の高さｈの半分以下となるように設定されていることが好ましい。なお、ガイド壁７は、必ずしも円筒状に形成されている必要はなく、角筒状に形成されていてもよい。なお、角筒状に形成されている場合には、ガイド壁７の外周面と容器１０の口部１１の内周面との間隔ｄとは、ガイド壁７の外周面と容器１０の口部１１の内周面とが最も近接した箇所（角部）の間隔を指す。
【００３６】
ガイド壁７は、キャップ２の雌ネジ５が容器１０の口部１１の雄ネジ１３と係合するまでに、ガイド壁７の先端部７０が容器１０の口部１１の上面より下方に位置するように、その高さＨ（上面部３の下面からガイド壁７の先端部までの長さ）が設定されていることが好ましい。ここで、キャップ２の雌ネジ５が容器１０の口部１１の雄ネジ１３と係合するまでとは、雌ネジ５のネジ山５０の下側の始点位置が、雄ネジ１３のネジ山１３Ａの上側の始点位置の下方に入り込んで雌ネジ５のネジ山５０と雄ネジ１３のネジ山１３Ａとが互いにしっかりと係わり合う時点を指している。なお、厳密に雌ネジ５のネジ山５０の始点位置が雄ネジ１３のネジ山１３Ａの始点位置と係わり合う時点を指すのではなく、雄ネジ１３のネジ山１３Ａの始点位置の多少前後で互いに係わり合う場合も許容される。キャップ２の雌ネジ５が容器１０の口部１１の雄ネジ１３に係合し始める際、ガイド壁７の先端部７０が容器１０の口部１１の上面より上方に位置していると、ガイド壁７がガイドとして機能する前に雌ネジ５が雄ネジ１３と係合してしまい、その結果、キャップ２が傾斜してしまって、キャップ２が傾斜した斜めキャップの状態のまま雌ネジ５と雄ネジ１３とが係合する係合不良を起こすおそれがあるからである。また、ガイド壁７の高さＨは、ガイド壁７の先端部がキャップ２の側面部４の下端部よりも下方に突き出ないような高さ（側面部４の高さ以下）に設定されていることが好ましい。
【００３７】
以上のように、上記構成のキャップ２によると、コンタクトリング８およびアウターリング９により、キャップ２の上面部３と容器１０の口部１１との間が２箇所で止栓されているので、容器１０内が精度良く密閉される。よって、容器１０内の内容物が口部１１とキャップ２との間から外部に漏れ出すことを良好に防止できる。
【００３８】
また、キャップ２を容器１０の口部１１にねじ込みながら係合させる際に、ガイド壁７が口部１１と接触しないので、ガイド壁７と口部１１との間には接触抵抗が生じない。よって、キャップ２を容器１０の口部１１にねじ込んで係合させる際に大きなトルクを必要とせず、キャップ２を口部１１に対して強く締め付け過ぎることに伴うキャップ２および口部１１の係合不良を起こすことを防止できる。また、キャップ２を口部１１から取り外す際にも大きなトルクを必要とせず容易に開栓できる。
【００３９】
また、キャップ２を容器１０の口部１１に係合させるために口部１１上に被せる際に、キャップ２が傾斜した斜めキャップの状態で口部１１に被せられても、キャップ２の雌ネジ５と口部１１の雄ネジ１３とが螺合を開始する前に、ガイド壁７の下方に傾斜している側の先端部７０の外周面が口部１１の上端部の内周面と接触することで、キャップ２の傾斜状態が矯正される。このガイド壁７のガイド機能によりキャップ２は水平状態またはほぼ水平状態に戻され、雌ネジ５と雄ネジ１３とが正常に螺合するので、キャップ２が傾斜した状態で口部１１に係合されることに伴うキャップ２および口部１１の係合不良を起こすことを防止できる。さらに、キャップ２の上面部３の下面に内容物の液滴が付着しても、ガイド壁７により、液滴が上面部３の下面を伝って外側に広がるのが規制される。よって、この液滴がコンタクトリング８およびアウターリング９まで到達するのが防止されるので、容器１０内の内容物が口部１１とキャップ２との間から漏れ出すことをより確実に防止できる。
【００４０】
また、アウターリング９と側面部４との間の領域に隆起部３１が設けられていることで、隆起部３１により側面部４の上端部４１の強度が増している。よって、例えばキャップ２を漏れが生じないよう強い力で容器１０の口部１１にねじ込んだ場合に、キャップ２の側面部４の上端部４１が内側に押し込まれる方向に変形しようとしても、隆起部３１が変形を抑えるストッパーとして機能する結果、アウターリング９が内側に押し込まれるのが防止される。これにより、アウターリング９が口部１１の外周面に引っ掛からずに口部１１の上面に乗り上がってしまうことを防止でき、アウターリング９の内周面が容器１０の口部１１の外周面と良好に当接し続けるので、上記したコンタクトリング８およびアウターリング９による止栓が外れることなく、容器１０内を良好に密閉することができる。
【００４１】
以上、本発明の一実施形態について説明したが、本発明に係る容器用キャップおよびキャップ付き容器の具体的な態様は上記した実施形態に限定されるものではなく、その趣旨を逸脱しない限りにおいて種々の変更が可能である。例えば、上記実施形態では、容器用キャップ２にはアウターリング９が設けられているが、アウターリング９は必ずしも設けられている必要はない。また、隆起部３１も必ずしも設けられている必要はない。
【００４２】
また、上記実施形態では、雄ネジ１３及び雌ネジ５の螺合によりキャップ２を容器１０の口部１１に係合しているが、キャップ２を口部１１に打栓して係合させるように構成してもよい。例えば、キャップ２の側面部４の下端内周面に係合凸部を設けるとともに、容器１０の口部１１の外周面に前記係合凸部を引っ掛けることが可能な段部等の係止部を設け、キャップ２を口部１１に押し込んで前記係合凸部を前記係止部に引っ掛けることで、キャップ２を口部１１に係合して装着するようにしてもよい。この場合でも、キャップ２を口部１１に押し込む際にガイド壁７が口部１１と接触しないので、ガイド壁７と口部１１との間には接触抵抗が生じない。よって、キャップ２を容器１０の口部１１に打栓により係合させる際に大きな力を必要としないうえ、キャップ２および口部１１の係合不良を起こすことも防止できる。また、キャップ２を口部１１から取り外す際にも大きな力を必要とせず容易に開栓できる。
【符号の説明】
【００４３】
１    キャップ付き容器
２    容器用キャップ
３    上面部
４    側面部
５    雌ネジ
７    ガイド壁
８    コンタクトリング
９    アウターリング
１０  容器
１１  口部
１２  胴部
１３  雄ネジ
３１  隆起部
５０  ネジ山
【図１】
2014177288.tif 000003
【図２】
2014177288.tif 000004
【図３】
2014177288.tif 000005
【図４】
2014177288.tif 000006
【図５】
2014177288.tif 000007
【図６】
2014177288.tif 000008
【図７】
2014177288.tif 000009
【図８】
2014177288.tif 000010
【図９】
2014177288.tif 000011
【図１０】
2014177288.tif 000012
【図１１】
2014177288.tif 000013
【図１２】
2014177288.tif 000014